(57)【特許請求の範囲】
【請求項１】
光源と、前記光源からの光を出射し床面に略平行な光出射面を有する筐体と、を備えた照明装置であって、
前記光出射面に、複数枚のフラップからなるルーバを備え、
前記各フラップは、その法線方向が床面と略平行になるように配置されると共に、前記光源からの光のうち、人体に対してメラトニンの分泌を抑制する作用を有する波長成分の光の透過を低減するフィルタに構成され、
前記フラップは、その法線方向が互いに略直交する２方向に沿って配置された両方が可動である２種類の組み合わせからなり、
前記ルーバは、前記フラップの法線方向が床面に対して略平行のまま、前記光出射面の全面に亘るように伸びた展開状態と、前記光出射面の下方において前記フラップが存在せず、前記光出射面の下方が全面的に開放された縮小状態との間に亘り、床面に平行な方向に沿って伸縮自在に構成されていることを特徴とする照明装置。
【発明の詳細な説明】
【技術分野】
【０００１】
本発明は、照明光によるメラトニン分泌抑制作用を低減する照明装置に関する。
【背景技術】
【０００２】
従来から、照明光の光色は、人の生体リズムに影響を及ぼすことが知られている。例えば、就寝前の時間帯に、照明光の光色を電球のような赤みを帯びた色にすると、白色光や昼光色光と比べて脳に対する刺激が低減され、人の円滑な入眠を促すことができる。これに対して、照明光の光色を水銀灯のような青白い色にすると、脳に対する刺激が強まり、人の意識を覚醒することができる。これら照明光の光色が人の睡眠に与える影響は、脳の松果体から分泌されるメラトニンが深く関与していると考えられている。
【０００３】
メラトニンは、生活リズム等の違いにより個人差があるが、一般的には入眠前から睡眠初期にかけて多く分泌され、体温の低下や円滑な入眠を促進すると考えられている。また、メラトニンの分泌は、波長が４６４ｎｍ付近の光を受光するときにより強く抑制されることが知られている。従って、照明光から４６４ｎｍ近辺の波長成分をカットすることによりメラトニンの分泌抑制を低減して、人が就寝時に円滑に入眠できるようにすることができる。
【０００４】
ところが、４６４ｎｍ付近の波長成分をカットされた光は、青色波長成分が失われるので、照明光としては不自然な光色になる。そこで、比較的メラトニン分泌抑制効果が高く、光色への寄与率が低い波長４８０〜５０５ｎｍの平均光透過率を略３０％以下に制限する光フィルタを備えることにより、メラトニン分泌抑制を防止しつつ、照明光を比較的自然な色に保つことができる照明装置が知られている（例えば、特許文献１参照）。
【特許文献１】特開２００６−２５９０７９号公報
【発明の開示】
【発明が解決しようとする課題】
【０００５】
しかしながら、上記特許文献１に示された照明装置では、光出射面の全体が青色波長成分の透過を制限するフィルタによって覆われるので、照明光の色が自然の色とは異なって見えると共に（黄色味を帯びて見える）、当該照明装置を設置した部屋全体がそのような光色で照明され、例えば、人が当該照明装置の下で読書等の視作業を行うには適していない。
【０００６】
そこで、本発明は、上記課題を解決するものであり、照明光の下で視作業を行うときには視対象が自然な色に見えて人の作業性を損なうことがなく、しかも視作業を行っていない人に対してはメラトニンの分泌を抑制する波長の光が到達せず、円滑に入眠できるようにする照明装置を提供することを目的とする。
【課題を解決するための手段】
【０００７】
上記目的を達成するために、請求項１の発明は、光源と、前記光源からの光を出射し床面に略平行な光出射面を有する筐体と、を備えた照明装置であって、前記光出射面に、複数枚のフラップからなるルーバを備え、前記各フラップは、その法線方向が床面と略平行になるように配置されると共に、前記光源からの光のうち、人体に対してメラトニンの分泌を抑制する作用を有する波長成分の光の透過を低減するフィルタに構成され、前記フラップは、その法線方向が互いに略直交する２方向に沿って配置された両方が可動である２種類の組み合わせからなり、前記ルーバは、前記フラップの法線方向が床面に対して略平行のまま、前記光出射面の全面に亘るように伸びた展開状態と、前記光出射面の下方において前記フラップが存在せず、前記光出射面の下方が全面的に開放された縮小状態との間に亘り、床面に平行な方向に沿って伸縮自在に構成されていることを特徴とする。
【発明の効果】
【００１０】
請求項１の発明によれば、光出射面に複数枚のフラップからなるルーバを備え、該フラップは、その法線方向が床面と略平行になるように配置されると共に、人体に対してメラトニンの分泌を抑制する光の透過を低減するフィルタに構成されるので、光出射面の直下方向には光源からの光が直接的に照射されて、人の視作業の作業性を損なうことがない。また、光出射面の直下方向から外れた方向（光が直接眼に入る方向）には、フラップによって刺激を弱められた光が照射されるので、人体に対してメラトニンの分泌を抑制せず、視作業を行っていないユーザの円滑な入眠を妨げない。
【発明を実施するための最良の形態】
【００１３】
（第１の実施形態）
以下、本発明の第１の実施形態に係る照明装置について、図１及び図２を参照して説明する。本実施形態の照明装置１は、光源２と、光源２からの光を出射すると共に床面Ｆに略平行に形成された光出射面３を有する筐体４とを備える。また、照明装置１は、光出射面３に複数枚のフラップ５が格子状に組み合されてなるルーバ６（図２参照）を備える。各フラップ５は、その法線方向ｒａ１、ｒｂ１が床面Ｆと平行になるように配置されると共に、光源２からの光のうち、人体に対してメラトニンの分泌を抑制する作用を有する波長成分の光の透過を低減するフィルタに構成されている。
【００１４】
照明装置１は、通常、天井Ｃに埋め込まれ、床面Ｆ方向に光を出射する埋め込み式照明器具に適用される。なお、図中の実線矢印は、光源２から出射された直接光Ｌ１を示し、点線矢印及び一点鎖線矢印は、フラップ５を透過した光Ｌ２を示す。
【００１５】
光源２には、汎用の光源が用いられ、例えば、環状蛍光灯、電球型蛍光灯、ハロゲンランプ、白熱灯、ＬＥＤ等が用いられる。また、光源２は、発光色の異なる複数のＬＥＤを配置し、各ＬＥＤを適宜に調光制御することにより任意の色の光を出射可能としたものであってもよい。
【００１６】
筐体４は、略円筒状の構造材から成り、筐体４の天井Ｃ面と接する面が光出射面３となるように形成される。筐体４の材料には、例えば、アルミニウム合金等の金属又はポリカーボネイトやＰＰＳ等の樹脂材料が用いられる。なお、筐体４は、その形状や寸法は特に限定されないが、好ましくは汎用の埋込型照明器具と同程度の埋込穴寸法及び器具埋込高になるように設計される。
【００１７】
ルーバ６は、図２に示されるように、同一の上下幅ｗのフラップ５ａ、５ｂが縦横の格子状に組み合されて構成され、各フラップ５ａ、５ｂは、その法線方向（矢印ｒａ１、ｒｂ１）が床面Ｆと平行であり、かつ互いに直交するようにして光出射面３に固定されている。換言すると、ルーバ６は、縦方向のフラップ５ａと、該縦方向のフラップ５ａに直交する横方向のフラップ５ｂとの２種類のフラップが組み合されて構成されている。なお、図２は、筐体４の光出射面３に取り付けられたルーバ６を斜め下方から見た態様を示す。
【００１８】
各フラップ５ａ、５ｂは、例えば、橙色系蛍光着色材料を含有させた透光性樹脂から成り、上下方向の幅ｗは、フラップ５ａ、５ｂの下端が天井Ｃ面よりも僅かに突出し、ルーバ６の略全体が筐体４内に収納される範囲内で可能な限り大きく設計される（図１参照）。フラップ５ａ、５ｂの幅ｗが大きく設計される理由については後述する。
【００１９】
フラップ５ａ、５ｂの下端が天井Ｃ面よりも大きく下方へ突出する場合にはフラップ５ａ、５ｂ自体の色が目立って天井Ｃの色バランスを崩す虞があるが、突出量を極力小さくすることによって、そのような不具合を回避することができる。同様な理由によりフラップ５ａ、５ｂの下端部に天井Ｃ面と調和する色を塗布することも有効である。
【００２０】
また、各フラップ５ａ、５ｂは、光源２から出射される光のうち、人体に対してメラトニンの分泌を抑制する作用を有する波長成分、好ましくは波長４６０ｎｍ近傍の波長成分の透過を低減するように構成されている。
【００２１】
さらに、フラップ５ａ、５ｂの主要な構成材である透光性樹脂には、透光性を有する樹脂であれば特に限定されず、適宜に公知の材料が使用される。その例としては、アクリル系樹脂、ポリスチレン樹脂、塩化ビニル樹脂、ポリ乳酸樹脂、シリコン樹脂、不飽和ポリエステル樹脂等が挙げられ、これらを単独又は２種以上組み合わせて用いてもよい。好ましくは、透光性、耐候性に優れ、幅広い用途に適用可能なアクリル系樹脂が用いられる。
【００２２】
次に、本実施形態の照明装置１の作用について主に図１を参照して説明する。上述のように、照明装置１の光出射面３には、法線方向ｒａ１、ｒｂ１が床面Ｆと平行になったフラップ５ａ、５ｂからなるルーバ６が備えられ、該フラップ５ａ、５ｂが人体に対してメラトニンの分泌を抑制する作用を有する波長成分の光を低減するフィルタに構成されているので、光源２から直下方向へ向かう光は、フラップ５ａ、５ｂを通過せず直接光Ｌ１となり、所定の角度傾斜した方向へ向かう光はフラップ５ａ、５ｂを透過した光Ｌ２となる。なお、後における説明の都合上傾斜角度θが比較的小さい光Ｌ２は点線矢印で示し、傾斜角度θが比較的大きい光Ｌ２は一点鎖線矢印で示す。
【００２３】
直接光Ｌ１は、フラップ５ａ、５ｂを透過していないので光源２の光（例えば、白色光）の演色性がそのまま維持される。そのため、例えば、ユーザＰ１が、照射面３０の下方位置にテーブルＴを置いて、テーブルＴ上で書籍Ｂを読むといった視作業をするときに、色識別性を低下させず、ユーザＰ１の作業性を損なわない。また、直接光Ｌ１は、メラトニンの分泌を抑制する波長成分の光を含み人が円滑に入眠することを妨げるが、進行方向が略直下方向のみであるので、視作業を行っておらず視線の方向が水平方向乃至若干下方を向いたユーザＰ２の目に直接入射することがない。
【００２４】
一方、フラップ５ａ、５ｂを透過した光Ｌ２の一部は、垂直から所定の角度θ傾斜した方向へ進行するので視作業を行っていないユーザＰ２の目に直接入射するが、フラップ５ａ、５ｂによってメラトニンの分泌を抑制する波長成分の光を低減されているので、ユーザＰ２に与える刺激が少なく、ユーザＰ２の円滑な入眠を妨げることがない。なお、光源２から出射された光のうち垂直からの傾斜角度θが大きい光Ｌ２（一点鎖線矢印）は、ユーザＰ２の目に直接入射し易くなるが、傾斜角度が大きいためにフラップ５ａ、５ｂを複数回透過することになり、メラトニンの分泌を抑制する波長成分の光がより大きく低減され、ユーザＰ２に与える刺激が少ない。以上の理由によりフラップ５ａ、５ｂの幅ｗが大きい方が、同一の傾斜角度θで出射される光に対して多くの透過回数を与えることができて有利である。
【００２５】
また、ルーバ６は、互いに法線方向が直交する２種類のフラップ５ａ、５ｂが格子状に組合されて構成されるので、垂直に対して所定の角度θをもって光源２から出射された光のうち大部分が縦横いずれかのフラップ５ａ、５ｂを透過する。従って、本照明装置１の下方においてメラトニンの分泌を抑制する波長成分の光が低減された光が水平方向に比較的均等に照射される。換言すると、本照明装置１の下方においてメラトニンの分泌を抑制する波長成分の光が低減された光が、いずれかの方向に偏って照射されることがない。
【００２６】
（第２の実施形態）
本発明の第２の実施形態に係る照明装置について、図３及び図４（ａ）、（ｂ）を参照して説明する。本実施形態の照明装置１は、第１の実施形態に対してルーバの構成のみが異なり、他の構成は同一である。図３は本実施形態における光出射面３に取り付けられたルーバ２６を斜め下方から見た態様を示す。
【００２７】
本実施形態のルーバ２６は、第１の実施形態のルーバ６と同様に、縦方向のフラップ２５ａと横方向のフラップ２５ｂが格子状に組み合されて構成され、各フラップ２５ａ、２５ｂは、その法線方向（矢印ｒａ２、ｒｂ２）が床面Ｆと平行であり、かつ互いに直交するように配置されており、さらに横方向のフラップ２５ｂは、その法線方向ｒｂ２が床面Ｆと直交する位置（図３の二点鎖線位置）へと回動可能に構成されている。以下、フラップ２５ｂの図３における実線位置を通常位置と称し、二点鎖線位置を回動位置と称する。
【００２８】
具体的には、横方向のフラップ２５ｂは、図３に示されるように、その長手方向に沿った一方の縁部に回転支軸２７を有し、該回転支軸２７の両端が筐体４側に設けられた軸受け（不図示）によって回転自在に支持されている。また、フラップ２５ｂがフラップ２５ａと交差する個所にはスリット２８が設けられると共に、各フラップ２５ｂの自由端同士はリンク２９によって連結されて、横方向の全てのフラップ２５ｂが連動して回動（矢印ｔ）するように構成されている。横方向の全フラップ２５ｂが通常位置にあるときのルーバ２６を下方から見た態様を図４（ａ）に示し、全フラップ２５ｂが回動位置にあるときのルーバ２６を下方から見た態様を図４（ｂ）に示す。全フラップ２５ｂが回動位置にあるときには、光出射面３のほぼ全面が水平に倒されたフラップ２５ｂによって覆われる。
【００２９】
また、各フラップ２５ａ、２５ｂは、第１の実施形態と同様に、光源２からの光のうち人体に対してメラトニンの分泌を抑制する作用を有する波長成分の光の透過を低減するフィルタに構成されている。
【００３０】
次に、本実施形態の照明装置１の作用について説明する。本実施形態においても第１の実施形態と同様に、光源２から直下方向へ向かう光は、フラップ２５ａ、２５ｂを透過せず直接光Ｌ１となり、所定の角度傾斜した方向へ向かう光はフラップ２５ａ、２５ｂを透過した光Ｌ２となる。直接光Ｌ１は、フラップ２５ａ、２５ｂを透過していないので、光源２の光（例えば、白色光）の演色性がそのまま維持され、ユーザＰ１が視作業をするときに、色識別性を低下させず、ユーザＰ１の作業性を損なわない。また、直接光Ｌ１は、進行方向が略直下方向のみであるので、視作業を行っていないユーザＰ２の目に直接入射することがない。
【００３１】
一方、フラップ２５ａ、２５ｂを透過した光Ｌ２の一部は、垂直から所定の角度θ傾斜した方向へ進行するので視作業を行っていないユーザＰ２の目に直接入射するが、フラップ２５ａ、２５ｂによってメラトニンの分泌を抑制する波長成分の光を低減されているので、ユーザＰ２に与える刺激が少なく、ユーザＰ２の円滑な入眠を妨げることがない。
【００３２】
また、横方向のフラップ２５ｂは、前述の通り姿勢を変更することが可能であるので、例えば、ユーザが視作業を終えたときには、手動で横方向のフラップ２５ｂの姿勢を通常位置から回動位置へと変更し（図４（ａ）から図４（ｂ））、光源２から床面Ｆへ向けて出射される光のうちほぼ全てがフラップ２５ｂを透過し、メラトニンの分泌を抑制する波長成分の光を低減されるようにできる。この場合には、当該照明装置１の直下位置においても刺激の少ない光で照明されるようになり、ユーザがより円滑に睡眠に移行できる環境とすることができる。
【００３３】
なお、回転支軸２７の一端にモータ等の回転駆動装置（不図示）を連結し、該回転駆動装置の回転をリモコンによって制御できるように構成することによって、ユーザが横方向のフラップ２５ｂの姿勢の変更を手動ではなく遠隔操作することもできる。
【００３４】
また、姿勢を変更することができない縦方向のフラップ２５ａは、人体に対してメラトニンの分泌を抑制する作用を有する波長成分の光の透過を低減するフィルタではなく、通常の透光性樹脂であってもよい。
【００３５】
（第３の実施形態）
本発明の第３の実施形態に係る照明装置について、図５（ａ）、（ｂ）及び図６を参照して説明する。本実施形態の照明装置１も、第１の実施形態に対してルーバの構成のみが異なり、他の構成は同一である。本実施形態のルーバ３６は、床面Ｆに平行な方向に伸縮するパンタグラフ状に構成され、図５（ａ）は、ルーバ３６が光出射面３の下方において光出射面３の全面に亘るように展開された状態を下方から見た態様を示し、図５（ｂ）は、ルーバ３６が片側に縮小され、光出射面３の下方が全面的に開放された状態を下方から見た態様を示す。
【００３６】
本実施形態のルーバ３６は、図６に示されるように、伸縮自在に組み立てられたシャフト組立体３７と、シャフト組立体３７を筐体４に対して支持するためのレール体３８とを備える。シャフト組立体３７は、光出射面３に近い平面に沿って交差角度が変更可能なように軸連結された多数本のシャフト３７ａと、光出射面３から遠い平面に沿って交差角度が変更可能なように軸連結された多数本のシャフト３７ｂと、シャフト３７ａ、３７ｂ間に張り渡されたフラップ３１と、を備える。なお、図５（ａ）、（ｂ）において、シャフト３７ａとシャフト３７ｂが重なって見えている。また、全てのシャフト３７ａとシャフト３７ｂ間にはフラップ３１が張り渡されるが、図６においては、一部のフラップ３１のみを示す。
【００３７】
シャフト３７ａ同士を連結する軸とシャフト３７ｂ同士を連結する軸が共通の軸３２に構成されることによって、シャフト３７ａ同士の交差角度が変更される動作とシャフト３７ｂ同士の交差角度が変更される動作とが連動し、シャフト組立体３７全体がパンタグラフ状に展開された状態（図５（ａ））と、縮小された状態（図５（ｂ））との間で変更可能になっている。各フラップ３１は、シャフト組立体３７の上記のような状態の変化に係らずその法線方向（矢印ｒ３）が常時床面Ｆと平行になる。また、各フラップ３１は、光源２からの光のうち、人体に対してメラトニンの分泌を抑制する作用を有する波長成分の光の透過を低減するフィルタに構成されている。
【００３８】
レール体３８は、凹溝が互いに対向するように配置されたチャンネル形状のレール３８ａと、レール３８ｂとから構成され、それぞれシャフト組立体３７のシャフト３７ａの端部に設けられたローラ３３ａ、及びシャフト３７ｂの端部に設けられたローラ３３ｂが凹溝内を移動自在になるようにしてシャフト組立体３７を支持している。
【００３９】
次に、本実施形態の作用について説明する。まず、シャフト組立体３７が図５（ａ）に示されるように展開された状態である場合について説明する。この場合において、フラップ３１の法線方向ｒ３が床面Ｆと平行であるので、第１の実施形態と略同様に作用する。すなわち、光源２から直下方向へ向かう光は、フラップ３１を通過せず直接光Ｌ１となり、所定の角度傾斜した方向へ向かう光はフラップ３１を透過した光Ｌ２となる。直接光Ｌ１は、フラップ３１を透過していないので光源２の光の演色性がそのまま維持され、ユーザＰ１が視作業をするときに、色識別性を低下させず、ユーザＰ１の作業性を損なわない。また、直接光Ｌ１は、進行方向が略直下方向のみであるので、視作業を行っていないユーザＰ２の目に直接入射することがない。フラップ３１を透過した光Ｌ２の一部は、垂直から所定の角度θ傾斜した方向へ進行するので視作業を行っていないユーザＰ２の目に直接入射するが、フラップ３１によってメラトニンの分泌を抑制する波長成分の光を低減されているので、ユーザＰ２に与える刺激が少なく、ユーザＰ２の円滑な入眠を妨げることがない。
【００４０】
一方、シャフト組立体３７がユーザによって図５（ｂ）に示される縮小状態に変更されたときには、フラップ３１の法線方向ｒ３は床面Ｆと平行の状態を維持するが、シャフト組立体３７の全体が縮小されるので、光出射面３の下方が全面的に開放された状態になる。この場合には、光源２から出射された光の大部分がフラップ（フィルタ）３１を透過せずメラトニンの分泌を抑制する波長成分の光を低減されずに床面Ｆ方向へ照射される。この状態は、例えば、日中においてユーザが視作業に集中するためにより強く覚醒する必要があるとき等に選択されることが好ましい。
【図面の簡単な説明】
【００４１】
【図１】本発明の第１の実施形態に係る照明装置の構成及び動作例を示す図。
【図２】同照明装置におけるルーバを斜め下方から見た斜視図。
【図３】本発明の第２の実施形態に係る照明装置のルーバを斜め下方から見た斜視図。
【図４ａ】同照明装置における横方向のフラップが通常位置にあるときのルーバの下面図。
【図４ｂ】同照明装置における横方向のフラップが回動位置に変更されたときのルーバの下面図。
【図５ａ】本発明の第３の実施形態に係る照明装置のシャフト組立体が展開されたときのルーバの下面図。
【図５ｂ】同照明装置のシャフト組立体が縮小されたときのルーバの下面図。
【図６】同照明装置におけるシャフト組立体の一部を示す斜視図。
【符号の説明】
【００４２】
１  照明装置
２  光源
３  光出射面
４  筐体
５、５ａ、５ｂ  フラップ（フィルタ）
６  ルーバ
２５ａ、２５ｂ  フラップ（フィルタ）
２６  ルーバ
３１  フラップ（フィルタ）
３６  ルーバ
Ｆ  床面
ｒａ１、ｒｂ１、ｒａ２、ｒｂ２、ｒ３  法線
【図１】
0005129607.tif 000002
【図２】
0005129607.tif 000003
【図３】
0005129607.tif 000004
【図４ａ】
0005129607.tif 000005
【図４ｂ】
0005129607.tif 000006
【図５ａ】
0005129607.tif 000007
【図５ｂ】
0005129607.tif 000008
【図６】
0005129607.tif 000009